(57)【要約】【課題】記録密度を向上できる磁気ヘッド及び磁気記録再生装置を提供する。【解決手段】実施形態によれば、磁気ヘッドは、再生部を含む。再生部は、第１〜第４磁性部及び積層体を含む。第３磁性部は、第１、第２磁性部の間に設けられる。第４磁性部は、第１、第２磁性部の間に設けられる。第３磁性部から第４磁性部に向かう第２方向は、第１磁性部から第２磁性部に向かう第１方向と交差する。積層体は、第１、第２磁性部の間、及び、第３、第４磁性部との間に設けられる。前記積層体は、第１磁性層と、第１磁性層と第２磁性部との間に設けられた第２磁性層と、第１、第２磁性層の間に設けられた非磁性の中間層と、を含む。第２磁性部と第３磁性部との間の第１方向に沿う第１距離は、第２磁性部と第４磁性部との間の第１方向に沿う第２距離とは異なる。【選択図】図１
2019153358.tif 000002
【特許請求の範囲】
【請求項１】
第１磁性部と、
第２磁性部と、
前記第１磁性部と前記第２磁性部との間に設けられた第３磁性部と、
前記第１磁性部と前記第２磁性部との間に設けられた第４磁性部であって、前記第３磁性部から前記第４磁性部に向かう第２方向は、前記第１磁性部から前記第２磁性部に向かう第１方向と交差した、前記第４磁性部と、
前記第１方向において前記第１磁性部と前記第２磁性部との間、及び、前記第２方向において前記第３磁性部と前記第４磁性部との間に設けられた積層体と、
を含む再生部を備え、
前記積層体は、
第１磁性層と、
前記第１方向において前記第１磁性層と前記第２磁性部との間に設けられた第２磁性層と、
前記第１方向において前記第１磁性層と前記第２磁性層との間に設けられた非磁性の中間層と、
を含み、
前記第２磁性部と前記第３磁性部との間の前記第１方向に沿う第１距離は、前記第２磁性部と前記第４磁性部との間の前記第１方向に沿う第２距離とは異なる、磁気ヘッド。
【請求項２】
前記第１距離は、前記第２距離より長く、
前記第１磁性部の第１磁化の向きは、前記第２磁性部の第２磁化の向きと逆の成分を含み、
前記第３磁性部の第３磁化の向きは、前記第１磁化の前記向きの成分を含み、
前記第４磁性部の第４磁化の向きは、前記第２磁化の前記向きの成分を含む、請求項１記載の磁気ヘッド。
【請求項３】
前記第１磁性部の第１磁化は、前記第３磁性部から前記第４磁性部への向きに沿い、
前記第２磁性部の第２磁化は、前記第４磁性部から前記第３磁性部への向きに沿い、
前記第３磁性部の第３磁化は、前記第３磁性部から前記第４磁性部への前記向きに沿い、
前記第４磁性部の第４磁化は、前記第４磁性部から前記第３磁性部への前記向きに沿う、請求項１記載の磁気ヘッド。
【請求項４】
前記第１磁性部の第１磁化は、前記第４磁性部から前記第３磁性部への向きに沿い、
前記第２磁性部の第２磁化は、前記第３磁性部から前記第４磁性部への向きに沿い、
前記第３磁性部の第３磁化は、前記第４磁性部から前記第３磁性部への前記向きに沿い、
前記第４磁性部の第４磁化は、前記第３磁性部から前記第４磁性部への前記向きに沿う、請求項１記載の磁気ヘッド。
【請求項５】
第１磁性部と、
第２磁性部と、
前記第１磁性部と前記第２磁性部との間に設けられた第３磁性部と、
前記第１磁性部と前記第２磁性部との間に設けられた第４磁性部であって、前記第３磁性部から前記第４磁性部に向かう第２方向は、前記第１磁性部から前記第２磁性部に向かう第１方向と交差した、前記第４磁性部と、
前記第１方向において前記第１磁性部と前記第２磁性部との間、及び、前記第２方向において前記第３磁性部と前記第４磁性部との間に設けられた積層体と、
前記第４磁性部と前記第１磁性部との間に設けられた絶縁部と、
前記第４磁性部と前記第２磁性部との間に設けられた別の絶縁部と、
を含む再生部を備え、
前記積層体は、
第１磁性層と、
前記第１方向において前記第１磁性層と前記第２磁性部との間に設けられた第２磁性層と、
前記第１方向において前記第１磁性層と前記第２磁性層との間に設けられた非磁性の中間層と、
を含み、
前記第３磁性部は、前記第１磁性部と接し、
前記第４磁性部は、前記第２磁性部と接する、磁気ヘッド。
【請求項６】
前記第１磁性部の第１磁化の向きは、前記第２磁性部の第２磁化の向きと逆の成分を含み、
前記第３磁性部の第３磁化の向きは、前記第１磁化の前記向きの成分を含み、
前記第４磁性部の第４磁化の向きは、前記第２磁化の前記向きの成分を含む、請求項５記載の磁気ヘッド。
【請求項７】
前記第１磁性部の第１磁化は、前記第３磁性部から前記第４磁性部への向きに沿い、
前記第２磁性部の第２磁化は、前記第４磁性部から前記第３磁性部への向きに沿い、
前記第３磁性部の第３磁化は、前記第３磁性部から前記第４磁性部への前記向きに沿い、
前記第４磁性部の第４磁化は、前記第４磁性部から前記第３磁性部への前記向きに沿う、請求項５記載の磁気ヘッド。
【請求項８】
前記第１磁性部の第１磁化は、前記第４磁性部から前記第３磁性部への向きに沿い、
前記第２磁性部の第２磁化は、前記第３磁性部から前記第４磁性部への向きに沿い、
前記第３磁性部の第３磁化は、前記第４磁性部から前記第３磁性部への前記向きに沿い、
前記第４磁性部の第４磁化は、前記第３磁性部から前記第４磁性部への前記向きに沿う、請求項５記載の磁気ヘッド。
【請求項９】
第１配線及び第２配線をさらに備え、
前記第１配線の一端は、前記第１磁性層と電気的に接続され、
前記第２配線の一端は、前記第２磁性層と電気的に接続され、
前記第１配線の他端及び前記第２配線の他端は、制御部に接続可能であり、
前記制御部は、前記第１磁性層と前記第２磁性層との間に電流を供給可能である、請求項１〜８のいずれか１つに記載の磁気ヘッド。
【請求項１０】
前記電流が前記第１磁性層と前記第２磁性層との間に流れたときに前記積層体で発振が生じ、
磁気記録媒体の磁化の向きに応じて前記発振の周波数が変化する、請求項９記載の磁気ヘッド。
【請求項１１】
前記発振の周波数の変化により、前記磁気記録媒体の情報を再生する、請求項１０記載の磁気ヘッド。
【請求項１２】
請求項１〜１１のいずれか１つに記載の磁気ヘッドと、
磁気記録媒体と、
制御部と、
を備え、
前記制御部は、前記第１磁性層と前記第２磁性層との間に電流を供給可能であり、
前記電流が前記第１磁性層と前記第２磁性層との間に流れたときに前記積層体で発振が生じ、
磁気記録媒体の磁化の向きに応じた、前記発振の周波数の変化を検出して、前記磁気記録媒体の情報を読み出す、磁気記録再生装置。
【発明の詳細な説明】
【技術分野】
【０００１】
本発明の実施形態は、磁気ヘッド及び磁気記録再生装置に関する。
【背景技術】
【０００２】
磁気記録再生装置において、記録密度の向上が望まれる。
【先行技術文献】
【特許文献】
【０００３】
【特許文献１】特開２０１４−１２０１９７号公報
【発明の概要】
【発明が解決しようとする課題】
【０００４】
本発明の実施形態は、記録密度を向上できる磁気ヘッド及び磁気記録再生装置を提供する。
【課題を解決するための手段】
【０００５】
本発明の実施形態によれば、磁気ヘッドは、再生部を含む。前記再生部は、第１〜第４磁性部及び積層体を含む。前記第３磁性部は、前記第１磁性部と前記第２磁性部との間に設けられる。前記第４磁性部は、前記第１磁性部と前記第２磁性部との間に設けられる。前記第３磁性部から前記第４磁性部に向かう第２方向は、前記第１磁性部から前記第２磁性部に向かう第１方向と交差する。前記積層体は、前記第１方向において前記第１磁性部と前記第２磁性部との間、及び、前記第２方向において前記第３磁性部と前記第４磁性部との間に設けられる。前記積層体は、第１磁性層と、前記第１方向において前記第１磁性層と前記第２磁性部との間に設けられた第２磁性層と、前記第１方向において前記第１磁性層と前記第２磁性層との間に設けられた非磁性の中間層と、を含む。前記第２磁性部と前記第３磁性部との間の前記第１方向に沿う第１距離は、前記第２磁性部と前記第４磁性部との間の前記第１方向に沿う第２距離とは異なる。
【図面の簡単な説明】
【０００６】
【図１】図１（ａ）〜図１（ｃ）は、第１実施形態に係る磁気ヘッドを例示する模式図である。
【図２】第１実施形態に係る磁気ヘッドを例示する模式的斜視図である。
【図３】第１実施形態に係る磁気ヘッドの特性を例示するグラフ図である。
【図４】参考例の磁気ヘッドの特性を例示するグラフ図である。
【図５】第１実施形態に係る磁気ヘッドを例示する模式図である。
【図６】第１実施形態に係る磁気ヘッドを例示する模式図である。
【図７】第１実施形態に係る磁気ヘッドを例示する模式図である。
【図８】第１実施形態に係る磁気ヘッドを例示する模式図である。
【図９】第１実施形態に係る磁気ヘッドを例示する模式図である。
【図１０】実施形態に係る磁気記録再生装置の一部を例示する模式的斜視図である。
【図１１】実施形態に係る磁気記録再生装置を例示する模式的斜視図である。
【図１２】図１２（ａ）及び図１２（ｂ）は、実施形態に係る磁気記録再生装置の一部を例示する模式的斜視図である。
【発明を実施するための形態】
【０００７】
以下に、本発明の各実施の形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
（第１実施形態）  
図１（ａ）〜図１（ｃ）は、第１実施形態に係る磁気ヘッドを例示する模式図である。  図１（ａ）は、図１（ｃ）の矢印ＡＡから見た平面図である。図１（ｂ）は、図１（ｃ）のＡ１−Ａ２線断面図である。図１（ｃ）は、斜視図である。図１（ｃ）において、図を見やすくするために、要素どうしが離されて描かれている。  
図２は、第１実施形態に係る磁気ヘッドを例示する模式的斜視図である。
【０００９】
図２に示すように、実施形態に係る磁気ヘッド１１０は、再生部７０を含む。この例では、記録部６０がさらに設けられている。磁気ヘッド１１０は、磁気記録媒体８０に対向する。
【００１０】
磁気記録媒体８０は、例えば、媒体基板８２及び磁気記録層８１を含む。磁気記録層８１は、媒体基板８２と磁気ヘッド１１０との間に位置する。記録部６０から印加される磁界により、磁気記録層８１の磁化８３が制御される。これにより記録動作が実施される。磁気記録媒体８０は、媒体移動方向８５に沿って、磁気ヘッド１１０に対して相対的に移動する。
【００１１】
この例では、記録部６０は、磁極６１（例えば主磁極）及びライトシールド６２を含む。この例では、磁極６１とライトシールド６２との間に、発振素子６３が設けられている。発振素子６３は、例えば、高周波磁界を発生する。磁気記録媒体８０の、高周波磁界が印加された部分の磁化８３が変化しやすくなる。高周波アシスト記録が可能である。実施形態において、発振素子６３は省略されても良い。
【００１２】
再生部７０は、磁気記録媒体８０に対向する。再生部７０は、第１面７０ｓを有する。第１面７０ｓは、磁気記録媒体８０に対向する。第１面７０ｓは、例えば、ＡＢＳ（Air Bearing Surface）である。第１面７０ｓは、磁気記録媒体８０に対向可能である。再生部７０は、例えば、磁気記録層８１の磁化８３の方向を検出可能である。これにより、再生動作が実施される。再生部７０は、磁気記録媒体８０に記録された記録信号を検出する。
【００１３】
再生部７０は、第１磁性部４１、第２磁性部４２及び積層体７１を含む。この例では、再生部７０は、第５磁性部７５をさらに含む。第５磁性部７５については、後述する。
【００１４】
積層体７１は、第１磁性部４１及び第２磁性部４２の間に設けられる。第１磁性部４１から第２磁性部４２に向かう方向を第１方向（Ｘ軸方向）とする。
【００１５】
Ｘ軸方向に対して垂直な１つの方向をＹ軸方向とする。Ｘ軸方向及びＹ軸方向に対して垂直な方向をＺ軸方向とする。
【００１６】
磁気記録媒体８０から再生部７０に向かう方向は、Ｚ軸方向に沿う。Ｚ軸方向は、ハイト方向に対応する。Ｘ軸方向は、例えば、ダウントラック方向に対応する。Ｙ軸方向は、例えば、クロストラック方向に対応する。
【００１７】
この例では、再生部７０は、第１配線４１Ｌ及び第２配線４２Ｌを含む（図２参照）。第１配線４１Ｌの一端、及び、第２配線４２Ｌの一端は、積層体７１に電気的に接続される。この例では、第１配線４１Ｌの一端は、第１磁性部４１を介して、積層体７１に電気的に接続される。第２配線４２Ｌの一端は、第２磁性部４２を介して、積層体７１に電気的に接続される。第１配線４１Ｌの他端、及び、第２配線４２Ｌの他端は、制御部７０Ｄに電気的に接続されることが可能である。例えば、制御部７０Ｄから、積層体７１に電流が供給される。
【００１８】
図１（ａ）に示すように、再生部７０は、積層体７１、第１磁性部４１及び第２磁性部４２に加えて、第３磁性部４３及び第４磁性部４４をさらに含む。第３磁性部４３及び第４磁性部４４は、図２では省略されている。
【００１９】
第３磁性部４３は、第１磁性部４１と第２磁性部４２との間に設けられる。第４磁性部４４は、第１磁性部４１と第２磁性部４２との間に設けられる。
【００２０】
第３磁性部４３から第４磁性部４４に向かう第２方向は、第１方向（Ｘ軸方向：第１磁性部４１から第２磁性部４２に向かう方向）と交差する。第２方向は、例えば、Ｙ軸方向である。
【００２１】
積層体７１は、第１方向（Ｘ軸方向）において、第１磁性部４１と第２磁性部４２との間に設けられる。積層体７１は、第２方向（Ｙ軸方向）において、第３磁性部４３と第４磁性部４４との間に設けられる。
【００２２】
積層体７１は、第１磁性層１１、第２磁性層１２及び中間層１３を含む。第２磁性層１２は、第１方向（Ｘ軸方向）において、第１磁性層１１と第２磁性部４２との間に設けられる。中間層１３は、第１方向において、第１磁性層１１と第２磁性層１２との間に設けられる。中間層１３は、非磁性である。
【００２３】
例えば、第１磁性層１１の第１方向（Ｘ軸方向）に沿う長さ（厚さ）は、第２磁性層１２の第２方向に沿う長さ（厚さ）よりも長い（厚い）。
【００２４】
この例では、第１導電層１１ｅ及び第２導電層１２ｅがさらに設けられている。これらの導電層は、非磁性である。第１方向（Ｘ軸方向）において、積層体７１と第１磁性部４１との間に、第１導電層１１ｅが位置する。第１方向（Ｘ軸方向）において、積層体７１と第２磁性部４２との間に、第２導電層１２ｅが位置する。
【００２５】
この例では、第１〜第６絶縁部４７ａ〜４７ｆが設けられている。これらの絶縁部は互いに連続しても良い。
【００２６】
第１絶縁部４７ａは、第１磁性部４１と第３磁性部４３との間に設けられる。第２絶縁部４７ｂは、第１磁性部４１と第４磁性部４４との間に設けられる。第３絶縁部４７ｃは、第２磁性部４２と第３磁性部４３との間に設けられる。第４絶縁部４７ｄは、第２磁性部４２と第４磁性部４４との間に設けられる。第５絶縁部４７ｅは、第３磁性部４３と積層体７１との間に設けられる。第６絶縁部４７ｆは、第４磁性部４４と積層体７１との間に設けられる。第１〜第４絶縁部４７ａ〜４７ｄは、例えば、絶縁性の磁性材料を含む。第５磁性部４７ｅ及び第６絶縁部４７ｆは、例えば、非磁性である。
【００２７】
図１（ｂ）及び図１（ｃ）に示すように、第５磁性部７５は、第１方向（Ｘ軸方向）において、第１磁性部４１と第２磁性部４２との間に位置する。積層体７１から第５磁性部７５に向かう方向を第３方向とする。第３方向は、第１方向（Ｘ軸方向）及び第２方向（例えばＹ軸方向）と交差する。第３方向は、例えばＺ軸方向に沿う。図１（ｂ）においては、分かりやすさのために、磁気記録媒体８０が描かれている。
【００２８】
図１（ｂ）に示すように、再生部７０は、第７絶縁部４７ｇをさらに含む。第７絶縁部４７ｇの一部は、第５磁性部７５と第１磁性部４１との間に位置する。第７絶縁部４７ｇの別に一部は、第５磁性部７５と第２磁性部４２との間に位置する。第７絶縁部４７ｇのさらに別に一部は、第５磁性部７５と積層体７１との間に位置する。
【００２９】
図１（ｃ）では、第１〜第７絶縁部４７ａ〜４７ｇは、省略されている。
【００３０】
第５磁性部７５は、積層体７１に磁界（例えばバイアス磁界）を印加する。第５磁性部７５の磁化（第５磁化７５Ｍ）は、例えば、第３方向（例えばＺ軸方向）に沿う。第５磁化７５Ｍは、磁気記録媒体８０から再生部７０に向かう方向でも良く、再生部７０から磁気記録媒体８０に向かう方向でも良い。
【００３１】
例えば、積層体７１に磁界（第５磁化７５Ｍによる磁界）が印加される。そして、積層体７１に電流が流れる。これにより、積層体７１において、発振が生じる。積層体７１は、例えば、ＳＴＯ（spin torque oscillator）として機能する。
【００３２】
磁気記録媒体８０の磁化８３に基づく磁界が再生部７０（積層体７１）に加わる。積層体７１における発振状態が、磁気記録媒体８０の磁化８３の向きに応じて変化する。例えば、積層体７１における発振周波数が、磁気記録媒体８０の磁化８３の向きに応じて変化する。積層体７１における発振周波数の変化を検出することで、磁気記録媒体８０の磁化８３の向きが検出される。これにより、磁気記録媒体８０に記録された情報が再生できる。再生動作が実施できる。
【００３３】
第１磁性部４１及び第２磁性部４２は、例えば、シールドとして機能する。第１磁性部４１及び第２磁性部４２は、導電性である。第１磁性部４１及び第２磁性部４２は、積層体７１に流れる電流の経路の一部として機能しても良い。
【００３４】
第３磁性部４３及び第４磁性部４４は、例えば、シールド（サイドシールド）として機能する。
【００３５】
図１（ａ）に示すように、第２磁性部４２と第３磁性部４３との間の第１方向（Ｘ軸方向）に沿う距離を第１距離ｄ１とする。第２磁性部４２と第４磁性部４４との間の第１方向に沿う距離を第２距離ｄ２とする。第１磁性部４１と第３磁性部４３との間の第１方向に沿う距離を第３距離ｄ３とする。第１磁性部４１と第４磁性部４４との間の第１方向に沿う距離を第４距離ｄ４とする。
【００３６】
実施形態においては、第１距離ｄ１は、第２距離ｄ２とは異なる。この例では、第１距離ｄ１は、第２距離ｄ２よりも長い。
【００３７】
第１距離ｄ１が第２距離ｄ２とが互いに異なることで、第２磁性部４２から第３磁性部４３が受ける磁気的な作用と、第２磁性部４２から第４磁性部４４が受ける磁気的な作用と、が互いに異なる。これにより、上記のように、第３磁性部４３の第３磁化４３Ｍの向きは、第４磁性部４４の第４磁化４４Ｍの向きと逆向きの成分を含むようになる。これにより、第３磁性層４３及び第４磁性層４４から積層体７１に印加されるＹ軸方向に沿う磁場が低減する。これにより、積層体７１が安定して発振し易くなる。これにより、記録密度を向上できる。
【００３８】
積層体７１が安定して発振することで、例えば、磁気記録媒体８０の磁化８３の向きに応じた、積層体７１における発振周波数の変化が大きくなる。発振周波数の変化が大きいため、高感度の再生が可能になる。実施形態によれば、記録密度を向上できる磁気ヘッド及び磁気記録再生装置が提供できる。発振特性の例については、後述する。
【００３９】
磁気ヘッド１１０において、第１距離ｄ１は、例えば、第２距離ｄ２の１．２倍以上１０倍以下でも良い。
【００４０】
図１（ａ）に示すように、この例では、第３距離ｄ３は、第４距離ｄ４とは異なる。この例では、第３距離ｄ３は、第４距離ｄ４よりも短い。これにより、積層体７１が安定して発振し易くなる。磁気記録媒体８０の磁化８３の向きに応じた、積層体７１における発振周波数の変化が大きくなる。
【００４１】
後述するように、実施形態において、第２距離ｄ２は実質的に０でも良い。第３距離ｄ３は、実質的に０でも良い。第３磁性部４３は、第１磁性部４１と接しても良い。例えば、第４磁性部４４は、第２磁性部４２と接しても良い。
【００４２】
磁気ヘッド１１０においては、第１磁性部４１の第１磁化４１Ｍの向きは、第２磁性部４２の第２磁化４２Ｍの向きと逆の成分を含む。第３磁性部４３の第３磁化４３Ｍの向きは、第１磁化４１Ｍの向きの成分を含む。第４磁性部４４の第４磁化４４Ｍの向きは、第２磁化４２Ｍの向きの成分を含む。第３磁性部４３の第３磁化４３Ｍの向きは、第４磁性部４４の第４磁化４４Ｍの向きと逆向きの成分を含む。
【００４３】
磁気ヘッド１１０においては、第１磁化４１Ｍは、第３磁性部４３から第４磁性部４４への向きに沿う。第２磁化４２Ｍは、第４磁性部４４から第３磁性部４３への向きに沿う。第３磁化４３Ｍは、第３磁性部４３から第４磁性部４４への向きに沿う。第４磁化４４Ｍは、第４磁性部４４から第３磁性部４３への向きに沿う。後述するように、磁化の向きにおいて、種々の変形が可能である。
【００４４】
以下、磁気ヘッドの特性の例について説明する。  
図３は、第１実施形態に係る磁気ヘッドの特性を例示するグラフ図である。  
図４は、参考例の磁気ヘッドの特性を例示するグラフ図である。  
図３は、上記の磁気ヘッド１１０に対応し、図４は、参考例の磁気ヘッド１１９に対応する。磁気ヘッド１１０において、第１距離ｄ１は、３ｎｍであり、第２距離ｄ２は、０ｎｍであり、第３距離ｄ３は、０ｎｍであり、第４距離ｄ４は、３ｎｍである。一方、磁気ヘッド１１９において、第１〜第４距離ｄ１〜ｄ４は、０ｎｍである。磁気ヘッド１１９においては、第１磁化４１Ｍの向きは図１（ａ）における右向きであり、第２磁化４２Ｍの向きは図１（ａ）における左向きであり、第３磁化４３Ｍの向きは図１（ａ）における下向きであり、第４磁化４４Ｍの向きは図１（ａ）における上向きである。磁気ヘッド１１９のこれ以外の構成は、磁気ヘッド１１０の構成と同じである。
【００４５】
図３及び図４において、横軸は、周波数ｆ（ＧＨｚ）である。縦軸は、発振スペクトルの強度ＳＳ１である。強度ＳＳ１は、第２磁性層１２の磁化の向きに対応するＭｙ／Ｍｓをフーリエ変換して得られる値に対応する。強度ＳＳ１がピークを示す周波数ｆが、発振周波数に対応する。これらの図において、第１状態ＳＴ１においては、積層体７１に磁気記録媒体８０から「１」状態の磁場が印加される。第２状態ＳＴ２においては、磁気記録媒体８０から「０」状態の磁場が印加される。第３状態ＳＴ３においては、積層体７１に磁気記録媒体８０から磁場が印加されない。
【００４６】
図３及び図４から分かるように、参考例の磁気ヘッド１１９に比べて、磁気ヘッド１１０においては、第１状態ＳＴ１において発振スペクトルの強度ＳＳ１がピークを示す周波数ｆと、第２状態ＳＴ２において発振スペクトルの強度ＳＳ１がピークを示す周波数ｆと、の差が大きい。このように実施形態においては、参考例と比べて、発振周波数の変化が大きい。高感度の再生が可能になる。実施形態によれば、記録密度を向上できる磁気ヘッド及び磁気記録再生装置が提供できる。
【００４７】
実施形態においては、第１距離ｄ１は、第２距離ｄ２とは異なる。既に説明したように、第２磁性部４２から第３磁性部４３が受ける磁気的な作用と、第２磁性部４２から第４磁性部４４が受ける磁気的な作用と、が互いに異なる。第３磁性部４３の第３磁化４３Ｍの向きは、第４磁性部４４の第４磁化４４Ｍの向きと逆向きの成分を含むようになる。これにより、第３磁性層４３及び第４磁性層４４から積層体７１に印加されるＹ軸方向に沿う磁場が低減する。これにより、積層体７１が安定して発振し易くなる。例えば、磁気記録媒体８０からの磁場の変化により生じる積層体７１の発振周波数の変化が大きくなると考えられる。
【００４８】
以下、実施形態に係る磁気ヘッドのいくつかの例について説明する。以下の説明では、磁気ヘッド１１０と同様の構成についての説明は省略する。
【００４９】
図５〜図９は、第１実施形態に係る磁気ヘッドを例示する模式図である。  
これらの図は、図１（ｃ）の矢印ＡＡから見た平面図に対応する。
【００５０】
図５〜図９に示すように、磁気ヘッド１１１〜１１４においても、第１距離ｄ１は、第２距離ｄ２より長い。第４距離ｄ４は、第３距離ｄ３より長い。
【００５１】
磁気ヘッド１１１においては、第１磁性部４１の第１磁化４１Ｍは、第４磁性部４４から第３磁性部４３への向きに沿う。第２磁性部４２の第２磁化４２Ｍは、第３磁性部４３から第４磁性部４４への向きに沿う。第３磁性部４３の第３磁化４３Ｍは、第４磁性部４４から第３磁性部４３への向きに沿う。第４磁性部４４の第４磁化４４Ｍは、第３磁性部４３から第４磁性部４４への向きに沿う。
【００５２】
磁気ヘッド１１２においては、第１磁性部４１の第１磁化４１Ｍは、第２磁性部４２から第１磁性部４１への向きに沿う。第２磁性部４２の第２磁化４２Ｍは、第１磁性部４１から第２磁性部４２への向きに沿う。第３磁性部４３の第３磁化４３Ｍは、第２磁性部４２から第１磁性部４１への向きに沿う。第４磁性部４４の第４磁化４４Ｍは、第１磁性部４１から第２磁性部４２への向きに沿う。
【００５３】
磁気ヘッド１１３においては、第１磁性部４１の第１磁化４１Ｍは、第１磁性部４１から第２磁性部４２への向きに沿う。第２磁性部４２の第２磁化４２Ｍは、第２磁性部４２から第１磁性部４１への向きに沿う。第３磁性部４３の第３磁化４３Ｍは、第１磁性部４１から第２磁性部４２への向きに沿う。第４磁性部４４の第４磁化４４Ｍは、第２磁性部４２から第１磁性部４１への向きに沿う。
【００５４】
磁気ヘッド１１１〜１１３においても、発振周波数の変化を大きくできる。
【００５５】
磁気ヘッド１１０〜１１３において、第２距離ｄ２に対する第１距離ｄ１の第１比（ｄ１／ｄ２）は、第４距離ｄ４の第３距離ｄ３の第２比（ｄ４／ｄ３）と実質的に同じでも良い。例えば、第１比は、第２比の０．７倍以上１．３倍以下でも良い。
【００５６】
図８に示すように、磁気ヘッド１１４においても、第１距離ｄ１は、第２距離ｄ２より長い。一方、第４距離ｄ４は、第３距離ｄ３と実質的に同じである。
【００５７】
磁気ヘッド１１１〜１１４においても、第１距離ｄ１は、例えば、第２距離ｄ２の１．２倍以上１０倍以下でも良い。
【００５８】
図９に示すように、磁気ヘッド１１５においては、第１絶縁部４７ａ及び第４絶縁部４７ｄが省略されている。例えば、第３磁性部４３は、第１磁性部４１と接する。例えば、第４磁性部４４は、第２磁性部４２と接する。
【００５９】
例えば、第３磁性部４３は、第１磁性部４１と電気的に接続されても良い。第４磁性部４４は、第２磁性部４３と電気的に接続されても良い。
【００６０】
図９に示す磁気ヘッド１１５のように、積層体７１の側面は、第１方向（Ｘ軸方向）に沿っても良い。
【００６１】
磁気ヘッド１１０〜１１５の例のように、第１磁性層１１の第１方向（Ｘ軸方向）に沿う厚さは、第２磁性層１２の第１方向に沿う厚さよりも厚くても良い。例えば、第２磁性層１２の磁化が変化し易くなる。例えば、安定した発振が得られる。
【００６２】
磁気ヘッド１１０〜１１４の例のように、第１磁性層１１の第２方向（Ｙ軸方向）に沿う長さは、第２磁性層１２の第２方向に沿う長さよりも長くても良い。例えば、安定した発振が得られる。
【００６３】
以下、実施形態に含まれる構成要素の材料の例について、説明する。
【００６４】
第１〜第４磁性部４１〜４４の少なくともいずれかは、例えば、ＮｉＦｅなどの材料を含む。
【００６５】
第５磁性部７５は、例えば、ＣｏＣｒなどの材料を含む。
【００６６】
第１磁性層１１及び第２磁性層１２の少なくともいずれかは、ＣｏＦｅなどの材料を含む。１つの例において、第１磁性層１１及び第２磁性層１２の少なくともいずれかは、１つの磁性膜を含む。これらの磁性層の少なくともいずれかは、互いに接続された複数の磁性膜を含んでも良い。これらの磁性層の少なくともいずれかは、第１磁性膜と、第２磁性膜と、第１磁性膜と第２磁性膜との間に設けられた非磁性膜（例えばＲｕ膜）と、を含んでも良い。第１磁性膜と第２磁性膜とは、反強磁性結合される。これらの磁性層の少なくともいずれかは、人工反強磁性体を含んでも良い。これらの磁性層の少なくともいずれかは、Ｔａ膜またはＷ膜を含む積層構造を含んでも良い。
【００６７】
中間層１３は、例えば、ＭｇＯ、またはＣｕなどの非磁性の材料を含む。
【００６８】
第１〜第４磁化４１Ｍ〜４４Ｍに関する情報、及び、第５磁化７５Ｍに関する情報は、例えば、磁気光学顕微鏡などにより得られる。
【００６９】
既に説明したように、実施形態に係る磁気ヘッド（例えば、磁気ヘッド１１０など及びそれらの変形も含む）は、第１配線４１Ｌ及び第２配線４２Ｌ（図２参照）をさらに含んでも良い。第１配線４１Ｌの一端は、第１磁性層１１と電気的に接続される。第２配線４２Ｌの一端は、第２磁性層１２と電気的に接続される。第１配線４１Ｌの他端及び第２配線４２Ｌの他端は、制御部７０Ｄに接続可能である。制御部７０Ｄは、第１磁性層１１と第２磁性層１２との間に電流を供給可能である。
【００７０】
上記の電流が第１磁性層１１と第２磁性層１２との間に流れたときに、積層体７１で発振が生じる。磁気記録媒体８０の磁化の向きに応じて、発振の周波数が変化する。実施形態に係る磁気ヘッドにおいては、上記の発振の周波数の変化により、磁気記録媒体８０の情報を再生することができる。
【００７１】
（第２実施形態）  
第２実施形態は、磁気記録再生装置に係る。磁気記録再生装置は、第１実施形態に係る磁気ヘッド（及びその変形）と、磁気記録媒体８０と、制御部７０Ｄと、を含む。制御部７０Ｄは、第１磁性層１１と第２磁性層１２との間に電流を供給可能である。上記の電流が、第１磁性層１１と第２磁性層１２との間に流れたときに積層体７１で発振が生じる。磁気記録再生装置は、磁気記録媒体８０の磁化の向きに応じた、発振の周波数の変化を検出して、磁気記録媒体８０の情報を読み出す。
【００７２】
磁気記録媒体８０の磁化８３（図２参照）は、磁気記録媒体８０から再生部７０に向かう方向に沿う。
【００７３】
以下、本実施形態に係る磁気記録再生装置の例について説明する。以下では、磁気ヘッドとして、磁気ヘッド１１０が用いられる。
【００７４】
図１０は、実施形態に係る磁気記録再生装置の一部を例示する模式的斜視図である。  
図１０は、ヘッドスライダを例示している。  
磁気ヘッド１１０は、ヘッドスライダ１５９に設けられる。ヘッドスライダ１５９は、例えばＡｌ２Ｏ３／ＴｉＣなどを含む。ヘッドスライダ１５９は、磁気記録媒体の上を、浮上または接触しながら、磁気記録媒体に対して相対的に運動する。
【００７５】
ヘッドスライダ１５９は、例えば、空気流入側１５９Ａ及び空気流出側１５９Ｂを有する。磁気ヘッド１１０は、ヘッドスライダ１５９の空気流出側１５９Ｂの側面などに配置される。これにより、磁気ヘッド１１０は、磁気記録媒体の上を浮上または接触しながら磁気記録媒体に対して相対的に運動する。
【００７６】
図１１は、実施形態に係る磁気記録再生装置を例示する模式的斜視図である。  
図１２（ａ）及び図１２（ｂ）は、実施形態に係る磁気記録再生装置の一部を例示する模式的斜視図である。  
図１１に示すように、実施形態に係る磁気記録再生装置１５０においては、ロータリーアクチュエータが用いられる。記録用媒体ディスク１８０は、スピンドルモータ１８０Ｍに装着される。記録用媒体ディスク１８０は、スピンドルモータ１８０Ｍにより矢印ＡＲの方向に回転する。スピンドルモータ１８０Ｍは、駆動装置制御部からの制御信号に応答する。本実施形態に係る磁気記録再生装置１５０は、複数の記録用媒体ディスク１８０を備えても良い。磁気記録再生装置１５０は、記録媒体１８１を含んでもよい。記録媒体１８１は、例えば、ＳＳＤ（Solid State Drive）である。記録媒体１８１には、例えば、フラッシュメモリなどの不揮発性メモリが用いられる。例えば、磁気記録再生装置１５０は、ハイブリッドＨＤＤ（Hard Disk Drive）でも良い。
【００７７】
ヘッドスライダ１５９は、記録用媒体ディスク１８０に記録する情報の、記録及び再生を行う。ヘッドスライダ１５９は、薄膜状のサスペンション１５４の先端に設けられる。ヘッドスライダ１５９の先端付近に、実施形態に係る磁気ヘッドが設けられる。
【００７８】
記録用媒体ディスク１８０が回転すると、サスペンション１５４による押し付け圧力と、ヘッドスライダ１５９の媒体対向面（ＡＢＳ）で発生する圧力と、がバランスする。ヘッドスライダ１５９の媒体対向面と、記録用媒体ディスク１８０の表面と、の間の距離が、所定の浮上量となる。実施形態において、ヘッドスライダ１５９は、記録用媒体ディスク１８０と接触しても良い。例えば、接触走行型が適用されても良い。
【００７９】
サスペンション１５４は、アーム１５５（例えばアクチュエータアーム）の一端に接続されている。アーム１５５は、例えば、ボビン部などを有する。ボビン部は、駆動コイルを保持する。アーム１５５の他端には、ボイスコイルモータ１５６が設けられる。ボイスコイルモータ１５６は、リニアモータの一種である。ボイスコイルモータ１５６は、例えば、駆動コイル及び磁気回路を含む。駆動コイルは、アーム１５５のボビン部に巻かれる。磁気回路は、永久磁石及び対向ヨークを含む。永久磁石と対向ヨークとの間に、駆動コイルが設けられる。サスペンション１５４は、一端と他端とを有する。磁気ヘッドは、サスペンション１５４の一端に設けられる。アーム１５５は、サスペンション１５４の他端に接続される。
【００８０】
アーム１５５は、ボールベアリングによって保持される。ボールベアリングは、軸受部１５７の上下の２箇所に設けられる。アーム１５５は、ボイスコイルモータ１５６により回転及びスライドが可能である。磁気ヘッドは、記録用媒体ディスク１８０の任意の位置に移動可能である。
【００８１】
図１２（ａ）は、磁気記録再生装置の一部の構成を例示しており、ヘッドスタックアセンブリ１６０の拡大斜視図である。  
また、図１２（ｂ）は、ヘッドスタックアセンブリ１６０の一部となる磁気ヘッドアセンブリ（ヘッドジンバルアセンブリ：ＨＧＡ）１５８を例示する斜視図である。
【００８２】
図１２（ａ）に示すように、ヘッドスタックアセンブリ１６０は、軸受部１５７と、ヘッドジンバルアセンブリ１５８と、支持フレーム１６１と、を含む。ヘッドジンバルアセンブリ１５８は、軸受部１５７から延びる。支持フレーム１６１は、軸受部１５７から延びる。支持フレーム１６１の延びる方向は、ヘッドジンバルアセンブリ１５８の延びる方向とは逆である。支持フレーム１６１は、コイル１６２を支持する。
【００８３】
図１２（ｂ）に示すように、ヘッドジンバルアセンブリ１５８は、軸受部１５７から延びたアーム１５５と、アーム１５５から延びたサスペンション１５４と、を有している。
【００８４】
サスペンション１５４の先端には、ヘッドスライダ１５９が設けられる。ヘッドスライダ１５９に、実施形態に係る磁気ヘッドが設けられる。
【００８５】
実施形態に係る磁気ヘッドアセンブリ（ヘッドジンバルアセンブリ）１５８は、実施形態に係る磁気ヘッドと、磁気ヘッドが設けられたヘッドスライダ１５９と、サスペンション１５４と、アーム１５５と、を含む。ヘッドスライダ１５９は、サスペンション１５４の一端に設けられる。アーム１５５は、サスペンション１５４の他端と接続される。
【００８６】
サスペンション１５４は、例えば、信号の記録及び再生用のリード線（図示しない）を有する。サスペンション１５４は、例えば、浮上量調整のためのヒーター用のリード線（図示しない）を有しても良い。サスペンション１５４は、例えばスピントルク発振子用などのためのリード線（図示しない）を有しても良い。これらのリード線と、磁気ヘッドに設けられた複数の電極と、が電気的に接続される。
【００８７】
磁気記録再生装置１５０において、信号処理部１９０が設けられる。信号処理部１９０は、磁気ヘッドを用いて磁気記録媒体への信号の記録及び再生を行う。信号処理部１９０は、信号処理部１９０の入出力線は、例えば、ヘッドジンバルアセンブリ１５８の電極パッドに接続され、磁気ヘッドと電気的に接続される。
【００８８】
本実施形態に係る磁気記録再生装置１５０は、磁気記録媒体と、実施形態に係る磁気ヘッドと、可動部と、位置制御部と、信号処理部と、を含む。可動部は、磁気記録媒体と磁気ヘッドとを離間させ、または、接触させた状態で相対的に移動可能とする。位置制御部は、磁気ヘッドを磁気記録媒体の所定記録位置に位置合わせする信号処理部は、磁気ヘッドを用いた磁気記録媒体への信号の記録及び再生を行う。
【００８９】
例えば、上記の磁気記録媒体として、記録用媒体ディスク１８０が用いられる。上記の可動部は、例えば、ヘッドスライダ１５９を含む。上記の位置制御部は、例えば、ヘッドジンバルアセンブリ１５８を含む。
【００９０】
本実施形態に係る磁気記録再生装置１５０は、磁気記録媒体と、実施形態に係る磁気ヘッドアセンブリと、磁気ヘッドアセンブリに設けられた磁気ヘッドを用いて磁気記録媒体への信号の記録及び再生を行う信号処理部と、を備える。
【００９１】
実施形態は、以下の構成（例えば技術案）を含む。  
（構成１）  
第１磁性部と、
第２磁性部と、
前記第１磁性部と前記第２磁性部との間に設けられた第３磁性部と、
前記第１磁性部と前記第２磁性部との間に設けられた第４磁性部であって、前記第３磁性部から前記第４磁性部に向かう第２方向は、前記第１磁性部から前記第２磁性部に向かう第１方向と交差した、前記第４磁性部と、
前記第１方向において前記第１磁性部と前記第２磁性部との間、及び、前記第２方向において前記第３磁性部と前記第４磁性部との間に設けられた積層体と、
を含む再生部を備え、
前記積層体は、
第１磁性層と、
前記第１方向において前記第１磁性層と前記第２磁性部との間に設けられた第２磁性層と、
前記第１方向において前記第１磁性層と前記第２磁性層との間に設けられた非磁性の中間層と、
を含み、
前記第２磁性部と前記第３磁性部との間の前記第１方向に沿う第１距離は、前記第２磁性部と前記第４磁性部との間の前記第１方向に沿う第２距離とは異なる、磁気ヘッド。
（構成２）  
前記第１距離は、前記第２距離より長く、
前記第１磁性部の第１磁化の向きは、前記第２磁性部の第２磁化の向きと逆の成分を含み、
前記第３磁性部の第３磁化の向きは、前記第１磁化の前記向きの成分を含み、
前記第４磁性部の第４磁化の向きは、前記第２磁化の前記向きの成分を含む、構成１記載の磁気ヘッド。
（構成３）  
前記第１磁性部の第１磁化は、前記第３磁性部から前記第４磁性部への向きに沿い、
前記第２磁性部の第２磁化は、前記第４磁性部から前記第３磁性部への向きに沿い、
前記第３磁性部の第３磁化は、前記第３磁性部から前記第４磁性部への前記向きに沿い、
前記第４磁性部の第４磁化は、前記第４磁性部から前記第３磁性部への前記向きに沿う、構成１記載の磁気ヘッド。
（構成４）  
前記第１磁性部の第１磁化は、前記第４磁性部から前記第３磁性部への向きに沿い、
前記第２磁性部の第２磁化は、前記第３磁性部から前記第４磁性部への向きに沿い、
前記第３磁性部の第３磁化は、前記第４磁性部から前記第３磁性部への前記向きに沿い、
前記第４磁性部の第４磁化は、前記第３磁性部から前記第４磁性部への前記向きに沿う、構成１記載の磁気ヘッド。
（構成５）  
前記第１磁性部と前記第３磁性部との間の前記第１方向に沿う第３距離は、前記第１磁性部と前記第４磁性部との間の前記第１方向に沿う第４距離より短い、構成１〜４のいずれか１つに記載の磁気ヘッド。
（構成６）  
前記第３磁性部は、前記第１磁性部と電気的に接続され、
前記第４磁性部は、前記第２磁性部と電気的に接続された、構成５記載の磁気ヘッド。
（構成７）  
前記第３磁性層と前記第１磁性部との間に設けられた第１絶縁部と、
前記第４磁性部と前記第２磁性部との間に設けられた第４絶縁部と、
をさらに備えた、構成１〜６のいずれか１つに記載の磁気ヘッド。
（構成８）  
前記第３磁性層と前記第２磁性部との間に設けられた第３絶縁部と、
前記第４磁性部と前記第１磁性部との間に設けられた第２絶縁部と、
をさらに備えた、構成１〜７のいずれか１つに記載の磁気ヘッド。
（構成９）  
前記第１磁性層の前記第１方向に沿う厚さは、前記第２磁性層の前記第１方向に沿う厚さよりも厚い、構成１〜８のいずれか１つに記載の磁気ヘッド。
（構成１０）  
第１磁性部と、
第２磁性部と、
前記第１磁性部と前記第２磁性部との間に設けられた第３磁性部と、
前記第１磁性部と前記第２磁性部との間に設けられた第４磁性部であって、前記第３磁性部から前記第４磁性部に向かう第２方向は、前記第１磁性部から前記第２磁性部に向かう第１方向と交差した、前記第４磁性部と、
前記第１方向において前記第１磁性部と前記第２磁性部との間、及び、前記第２方向において前記第３磁性部と前記第４磁性部との間に設けられた積層体と、
前記第４磁性部と前記第１磁性部との間に設けられた絶縁部と、
前記第４磁性部と前記第２磁性部との間に設けられた別の絶縁部と、
を含む再生部を備え、
前記積層体は、
第１磁性層と、
前記第１方向において前記第１磁性層と前記第２磁性部との間に設けられた第２磁性層と、
前記第１方向において前記第１磁性層と前記第２磁性層との間に設けられた非磁性の中間層と、
を含み、
前記第３磁性部は、前記第１磁性部と接し、
前記第４磁性部は、前記第２磁性部と接する、磁気ヘッド。
（構成１１）  
前記第１磁性部の第１磁化の向きは、前記第２磁性部の第２磁化の向きと逆の成分を含み、
前記第３磁性部の第３磁化の向きは、前記第１磁化の前記向きの成分を含み、
前記第４磁性部の第４磁化の向きは、前記第２磁化の前記向きの成分を含む、構成１０記載の磁気ヘッド。
（構成１２）  
前記第１磁性部の第１磁化は、前記第３磁性部から前記第４磁性部への向きに沿い、
前記第２磁性部の第２磁化は、前記第４磁性部から前記第３磁性部への向きに沿い、
前記第３磁性部の第３磁化は、前記第３磁性部から前記第４磁性部への前記向きに沿い、
前記第４磁性部の第４磁化は、前記第４磁性部から前記第３磁性部への前記向きに沿う、構成１０記載の磁気ヘッド。
（構成１３）  
前記第１磁性部の第１磁化は、前記第４磁性部から前記第３磁性部への向きに沿い、
前記第２磁性部の第２磁化は、前記第３磁性部から前記第４磁性部への向きに沿い、
前記第３磁性部の第３磁化は、前記第４磁性部から前記第３磁性部への前記向きに沿い、
前記第４磁性部の第４磁化は、前記第３磁性部から前記第４磁性部への前記向きに沿う、構成１０記載の磁気ヘッド。
（構成１４）  
再生部は、第５磁性部をさらに含み、
前記第５磁性部は、前記第１方向において前記第１磁性部と前記第２磁性部との間に位置し、
前記積層体から前記第５磁性部に向かう第３方向は、前記第１方向及び前記第２方向と交差した、構成１〜１３のいずれか１つに記載の磁気ヘッド。
（構成１５）  
前記第５磁性部の第５磁化は、前記第３方向に沿う、構成１４記載の磁気ヘッド。
（構成１６）  
前記再生部は、第１面を有し、
前記第３方向において、前記積層体の少なくとも一部は、前記第１面と前記第５磁性部との間に位置した、構成１４または１５に記載の磁気ヘッド。
（構成１７）  
第１配線及び第２配線をさらに備え、
前記第１配線の一端は、前記第１磁性層と電気的に接続され、
前記第２配線の一端は、前記第２磁性層と電気的に接続され、
前記第１配線の他端及び前記第２配線の他端は、制御部に接続可能であり、
前記制御部は、前記第１磁性層と前記第２磁性層との間に電流を供給可能である、構成１〜１６のいずれか１つに記載の磁気ヘッド。
（構成１８）  
前記電流が前記第１磁性層と前記第２磁性層との間に流れたときに前記積層体で発振が生じ、
磁気記録媒体の磁化の向きに応じて前記発振の周波数が変化する、構成１７記載の磁気ヘッド。
（構成１９）  
前記発振の周波数の変化により、前記磁気記録媒体の情報を再生する、構成１８記載の磁気ヘッド。
（構成２０）  
構成１〜１９のいずれか１つに記載の磁気ヘッドと、
磁気記録媒体と、
制御部と、
を備え、
前記制御部は、前記第１磁性層と前記第２磁性層との間に電流を供給可能であり、
前記電流が前記第１磁性層と前記第２磁性層との間に流れたときに前記積層体で発振が生じ、
磁気記録媒体の磁化の向きに応じた、前記発振の周波数の変化を検出して、前記磁気記録媒体の情報を読み出す、磁気記録再生装置。
【００９２】
実施形態によれば、記録密度を向上できる磁気ヘッド及び磁気記録再生装置を提供できる。
【００９３】
本願明細書において、「電気的に接続される状態」は、複数の導電体が物理的に接してこれら複数の導電体の間に電流が流れる状態を含む。「電気的に接続される状態」は、複数の導電体の間に、別の導電体が挿入されて、これらの複数の導電体の間に電流が流れる状態を含む。
【００９４】
本願明細書において、「垂直」及び「平行」は、厳密な垂直及び厳密な平行だけではなく、例えば製造工程におけるばらつきなどを含むものであり、実質的に垂直及び実質的に平行であれば良い。
【００９５】
以上、具体例を参照しつつ、本発明の実施の形態について説明した。しかし、本発明は、これらの具体例に限定されるものではない。例えば、磁気ヘッド及び磁気記録再生装置に含まれる積層体、磁性層、導電層、磁性部及び磁気記録媒体などの各要素の具体的な構成に関しては、当業者が公知の範囲から適宜選択することにより本発明を同様に実施し、同様の効果を得ることができる限り、本発明の範囲に包含される。
【００９６】
また、各具体例のいずれか２つ以上の要素を技術的に可能な範囲で組み合わせたものも、本発明の要旨を包含する限り本発明の範囲に含まれる。
【００９７】
その他、本発明の実施の形態として上述した磁気ヘッド及び磁気記録再生装置を基にして、当業者が適宜設計変更して実施し得る全ての磁気ヘッド及び磁気記録再生装置も、本発明の要旨を包含する限り、本発明の範囲に属する。
【００９８】
その他、本発明の思想の範疇において、当業者であれば、各種の変更例及び修正例に想到し得るものであり、それら変更例及び修正例についても本発明の範囲に属するものと了解される。
【００９９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１００】
１１…第１磁性層、  １１ｅ…第１導電層、  １２…第２磁性層、  １２ｅ…第２導電層、  １３…中間層、  ４１〜４４…第１〜第４磁性部、  ４１Ｌ、４２Ｌ…第１、第２配線、  ４１Ｍ〜４４Ｍ…第１〜第４磁化、  ４７ａ〜４７ｇ…第１〜第７絶縁部、  ６０…記録部、  ６１…磁極、  ６２…ライトシールド、  ６３…発振素子、  ７０…再生部、  ７０Ｄ…制御部、  ７０ｓ…第１面、  ７１…積層体、  ７１ｗ…長さ、  ７５…第５磁性部、  ７５Ｍ…第５磁化、  ８０…磁気記録媒体、  ８１…磁気記録層、  ８２…媒体基板、  ８３…磁化、  ８５…媒体移動方向、  １１０〜１１５、１１９…磁気ヘッド、  １５０…磁気記録再生装置、  １５４…サスペンション、  １５５…アーム、  １５６…ボイスコイルモータ、  １５７…軸受部、  １５８…ヘッドジンバルアセンブリ、  １５９…ヘッドスライダ、  １５９Ａ…空気流入側、  １５９Ｂ…空気流出側、  １６０…ヘッドスタックアセンブリ、  １６１…支持フレーム、  １６２…コイル、  １８０…記録用媒体ディスク、  １８０Ｍ…スピンドルモータ、  １８１…記録媒体、  １９０…信号処理部、  ＡＡ、ＡＲ…矢印、  Ｍｙ／Ｍｓ…パラメータ、  ｄ１〜ｄ４…第１〜第４距離、  ｆ…周波数
【図１】
2019153358.tif 000003
【図２】
2019153358.tif 000004
【図３】
2019153358.tif 000005
【図４】
2019153358.tif 000006
【図５】
2019153358.tif 000007
【図６】
2019153358.tif 000008
【図７】
2019153358.tif 000009
【図８】
2019153358.tif 000010
【図９】
2019153358.tif 000011
【図１０】
2019153358.tif 000012
【図１１】
2019153358.tif 000013
【図１２】
2019153358.tif 000014